(57)【要約】  【課題】  本発明は、収納ケースをもったアイロン装置において、載置台と収納ケースのロック解除が簡単かつ確実に行えるようにした、使い勝手のよいアイロン装置を得ることを目的とするものである。  【解決手段】  載置台の変換部は、ケースロック解除釦の側方に設けるとともに、ケースロック解除釦の直線動作を回動動作に変換して、収納ケースと載置台との結合を簡単に解除するようにして、収納ケースのロックを解除するとき、収納ケースに触れずに取り外すことができ、使い勝手をよくすることができるようにしたものである。【選択図】  図１
2005040321.tif 000002
【特許請求の範囲】
【請求項１】
ヒータにより加熱されるベースを有するアイロン本体と、前記アイロン本体を載置する載置台と、前記載置台上に載置した前記アイロン本体を覆う収納ケースと、前記収納ケースを前記載置台に着脱自在に連結する結合手段と、前記収納ケースと前記載置台との結合を解除するケースロック解除釦と、前記ケースロック解除釦と前記結合手段を連結する変換部を具備し、前記変換部は、前記ケースロック解除釦の側方に設けるとともに、前記変換部は前記ケースロック解除釦の直線動作を回動動作に変換して、前記収納ケースと前記載置台との結合を解除するようにしたアイロン装置。
【請求項２】
結合手段は左右に一対設け、左右連動させた請求項１記載のアイロン装置。
【請求項３】
ヒータによって加熱されるベース、前記ベースに形成した気化室、前記気化室に供給される水を貯えるアイロン本体タンク、前記アイロン本体タンクに連通する受水部、および前記ヒータと電気的に接続された受電端子を有する受電部を備えたアイロン本体と、前記アイロン本体を載置する載置台と、前記載置台上に載置した前記アイロン本体を覆う収納ケースと、前記収納ケースを前記載置台に着脱自在に連結する結合手段と、前記収納ケースと前記載置台との結合を解除するケースロック解除釦と、前記アイロン本体を載置した時に、前記アイロン本体の前記受水部と接続される給水部と、前記給水部にポンプ装置を連通させ水を貯える載置台タンクと前記載置台タンクを載置台に係止する係止部と、前記載置台タンクの載置台への係止を解除するタンクロック解除釦と、前記受電端子と電気的に接続する給電部と、前記給電部と電気的に接続した電源コードを収容する電源コード巻取装置と前記電源コードの電源プラグが突出している電源コード出口部を具備し、前記載置台の前記ケースロック解除釦と前記タンクロック解除釦と前記電源コード出口部を、すべて前記載置部の側方に設けたアイロン装置。
【請求項４】
タンクロック解除釦は、ケースロック解除釦より前方に配設した請求項３記載のアイロン装置。
【請求項５】
電源コード出口部は、ケースロック解除釦とタンクロック解除釦のいずれよりも下方に配設した請求項３または４記載のアイロン装置。
【請求項６】
ヒータによって加熱されるベース、前記ベースに形成した気化室、前記気化室に供給される水を貯えるアイロン本体タンク、前記アイロン本体タンクに連通する受水部、および前記ヒータと電気的に接続された受電端子を有する受電部を備えたアイロン本体と、前記アイロン本体を載置する載置台と、前記載置台上に載置した前記アイロン本体を覆う収納ケースと、前記収納ケースを前記載置台に着脱自在に連結する結合手段と、前記収納ケースと前記載置台との結合を解除するケースロック解除釦と、前記アイロン本体を載置した時に、前記アイロン本体の前記受水部と接続される給水部と、前記給水部にポンプ装置を連通させ水を貯える載置台タンクと前記載置台タンクを載置台に係止する係止部と、前記載置台タンクの載置台への係止を解除するタンクロック解除釦と、前記受電端子と電気的に接続する給電部と、前記給電部と電気的に接続した電源コードを収容する電源コード巻取装置と前記電源コードの電源プラグが突出している電源コード出口部を具備し、前記収納ケースは、前記結合手段で前記載置台に結合された時に、前記載置台の側方の一部側面を覆い隠さないように形成するとともに、その載置台の一部側面に、前記載置台タンクと前記タンクロック解除釦とを配設したアイロン装置。
【発明の詳細な説明】
【技術分野】
【０００１】
本発明は衣類等のしわ伸ばしを行うアイロン本体を載置台に載置することにより、同アイロン本体のタンクに水が自動的に供給されるアイロン装置に関するものである。
【背景技術】
【０００２】
従来、この種のアイロン装置は、載置台と収納ケースを取り外し可能に結合し、ケースロック解除釦を上方から操作することによって収納ケースを取り外すようになっていた（例えば、特許文献１および特許文献２参照）。
【特許文献１】特開平２−１５６９９９号公報
【特許文献２】特開平６−２３２００号公報
【発明の開示】
【発明が解決しようとする課題】
【０００３】
しかし、特許文献１に記載された構造のものでは、ケースロック解除釦と収納ケース側面が近接しているため、収納ケースを取り外すときに手が収納ケースに触れるときがあり、使い勝手が悪いという問題があった。
【０００４】
また、特許文献２に記載された構造のものでは、載置台のタンクを取り出すときに操作するタンクロック解除釦と電源コード出口部とケースロック解除釦の操作方向が一致しておらず、また、それぞれの位置が離れているため使用操作が複雑になり、使い勝手が悪いという問題があった。
【０００５】
また、収納ケースが、載置台全体を覆っているため、不使用時に載置台のタンクに水の補給をしたい場合に、一旦収納ケースを載置台から取り外さねばならず、使い勝手が悪いという問題があった。
【０００６】
そこで、本発明は収納ケースを取り外すときに手が収納ケースに触れずに操作できるようにした、使い勝手のよいアイロン装置を得ることを第１の目的としている。
【０００７】
第２の目的は、タンクロック解除釦と電源コード出口部とケースロック解除釦の位置を側方に設け、操作釦の操作方向を一致させ、使い勝手のよいアイロン装置を得ることである。
【０００８】
第３の目的は、収納ケースを載置台から取り外さなくても、載置台のタンクの水量を確認でき、さらに、水の補給もできる使い勝手のよいアイロン装置を得ることである。
【課題を解決するための手段】
【０００９】
そして、上記第１の目的を達成するために本発明は、ヒータにより加熱されるベースを有するアイロン本体と、前記アイロン本体を載置する載置台と、前記載置台上に載置した前記アイロン本体を覆う収納ケースと、前記収納ケースを前記載置台に着脱自在に連結する結合手段と、前記収納ケースと前記載置台との結合を解除するケースロック解除釦と、前記ケースロック解除釦と前記結合手段を連結する変換部を具備し、前記変換部は、前記ケースロック解除釦の側方に設けるとともに、前記変換部は前記ケースロック解除釦の直線動作を回動動作に変換して、前記収納ケースと前記載置台との結合を解除するようにしたことを、第１の課題解決手段としている。
【００１０】
また、本発明は、第１の課題解決手段において、結合手段は左右に一対設け、左右連動させたことを第２の課題解決手段としている。
【００１１】
また、上記第２の目的を達成するために本発明は、ヒータによって加熱されるベース、前記ベースに形成した気化室、前記気化室に供給される水を貯えるアイロン本体タンク、前記アイロン本体タンクに連通する受水部、および前記ヒータと電気的に接続された受電端子を有する受電部を備えたアイロン本体と、前記アイロン本体を載置する載置台と、前記載置台上に載置した前記アイロン本体を覆う収納ケースと、前記収納ケースを前記載置台に着脱自在に連結する結合手段と、前記収納ケースと前記載置台との結合を解除するケースロック解除釦と、前記アイロン本体を載置した時に、前記アイロン本体の前記受水部と接続される給水部と、前記給水部にポンプ装置を連通させ水を貯える載置台タンクと前記載置台タンクを載置台に係止する係止部と、前記載置台タンクの載置台への係止を解除するタンクロック解除釦と、前記受電端子と電気的に接続する給電部と、前記給電部と電気的に接続した電源コードを収容する電源コード巻取装置と前記電源コードの電源プラグが突出している電源コード出口部を具備し、前記載置台の前記ケースロック解除釦と前記タンクロック解除釦と前記電源コード出口部を、すべて前記載置部の側方に設けたことを、第３の課題解決手段としている。
【００１２】
また、本発明は、第３の課題解決手段において、タンクロック解除釦は、ケースロック解除釦より前方に配設したことを第４の課題解決手段としている。
【００１３】
また、本発明は、第３または第４の課題解決手段において、電源コード出口部はケースロック解除釦とタンクロック解除釦のいずれよりも下方に配設したことを第５の課題解決手段としている。
【００１４】
さらに、上記第３の目的を達成するために本発明は、ヒータによって加熱されるベース、前記ベースに形成した気化室、前記気化室に供給される水を貯えるアイロン本体タンク、前記アイロン本体タンクに連通する受水部、および前記ヒータと電気的に接続された受電端子を有する受電部を備えたアイロン本体と、前記アイロン本体を載置する載置台と、前記載置台上に載置した前記アイロン本体を覆う収納ケースと、前記収納ケースを前記載置台に着脱自在に連結する結合手段と、前記収納ケースと前記載置台との結合を解除するケースロック解除釦と、前記アイロン本体を載置した時に、前記アイロン本体の前記受水部と接続される給水部と、前記給水部にポンプ装置を連通させ水を貯える載置台タンクと前記載置台タンクを載置台に係止する係止部と、前記載置台タンクの載置台への係止を解除するタンクロック解除釦と、前記受電端子と電気的に接続する給電部と、前記給電部と電気的に接続した電源コードを収容する電源コード巻取装置と前記電源コードの電源プラグが突出している電源コード出口部を具備し、前記収納ケースは、前記結合手段で前記載置台に結合された時に、前記載置台の側方の一部側面を覆い隠さないように形成するとともに、その載置台の一部側面に、前記載置台タンクと前記タンクロック解除釦とを配設したことを、第６の課題解決手段としている。
【発明の効果】
【００１５】
本発明の請求項１に記載の発明によれば、ヒータにより加熱されるベースを有するアイロン本体と、前記アイロン本体を載置する載置台と、前記載置台上に載置した前記アイロン本体を覆う収納ケースと、前記収納ケースを前記載置台に着脱自在に連結する結合手段と、前記収納ケースと前記載置台との結合を解除するケースロック解除釦と、前記ケースロック解除釦と前記結合手段を連結する変換部を具備し、前記変換部は、前記ケースロック解除釦の側方に設けるとともに、前記変換部は前記ケースロック解除釦の直線動作を回動動作に変換して、前記収納ケースと前記載置台との結合を解除するようにしたことで、収納ケースのロックを解除するとき、側方からケースロック解除釦を操作する直線動作を回動動作に変換できるので収納ケースに触れずに取り外すことができ、使い勝手のよいアイロン装置が得られる。
【００１６】
また、請求項２に記載の発明によれば、結合手段は左右に一対設け、左右連動させたことで、収納ケースの取り外し操作時のケースロック解除釦を片手で押すことができ、使い勝手のよいアイロン装置が得られる。
【００１７】
また、請求項３に記載の発明によれば、ヒータによって加熱されるベース、前記ベースに形成した気化室、前記気化室に供給される水を貯えるアイロン本体タンク、前記アイロン本体タンクに連通する受水部、および前記ヒータと電気的に接続された受電端子を有する受電部を備えたアイロン本体と、前記アイロン本体を載置する載置台と、前記載置台上に載置した前記アイロン本体を覆う収納ケースと、前記収納ケースを前記載置台に着脱自在に連結する結合手段と、前記収納ケースと前記載置台との結合を解除するケースロック解除釦と、前記アイロン本体を載置した時に、前記アイロン本体の前記受水部と接続される給水部と、前記給水部にポンプ装置を連通させ水を貯える載置台タンクと前記載置台タンクを載置台に係止する係止部と、前記載置台タンクの載置台への係止を解除するタンクロック解除釦と、前記受電端子と電気的に接続する給電部と、前記給電部と電気的に接続した電源コードを収容する電源コード巻取装置と前記電源コードの電源プラグが突出している電源コード出口部を具備し、前記載置台の前記ケースロック解除釦と前記タンクロック解除釦と前記電源コード出口部を、すべて前記載置部の側方に設けたことにより、載置台のタンクのロック解除と収納ケースのロック解除の操作方向が同じになり、電源コード出口部も載置台の側方にあるので、それぞれ使用者が使用するときの操作の移動距離が短くなり、使い勝手のよいアイロン装置が得られる。
【００１８】
また、請求項４に記載の発明によれば、タンクロック解除釦は、ケースロック解除釦より前方に配設したことにより、アイロン本体との距離が広がることにより、アイロン掛け作業中に消費された水を補給すべく、載置台の載置台タンクを取り出すときに、高温に加熱しているアイロン本体に誤って触れて火傷をすることもなく、安全に取り出すことができる。
【００１９】
また、請求項５に記載の発明によれば、電源コード出口部は、ケースロック解除釦とタンクロック解除釦のいずれよりも下方に配設したことにより、電源コード巻取装置のコード収納部の扁平面をケースロック機構部やタンクロック機構部の下側に設けることにより、載置台の底面積を小さくすることができ、載置台を小型化することができる。
【００２０】
また、請求項６に記載の発明によれば、ヒータによって加熱されるベース、前記ベースに形成した気化室、前記気化室に供給される水を貯えるアイロン本体タンク、前記アイロン本体タンクに連通する受水部、および前記ヒータと電気的に接続された受電端子を有する受電部を備えたアイロン本体と、前記アイロン本体を載置する載置台と、前記載置台上に載置した前記アイロン本体を覆う収納ケースと、前記収納ケースを前記載置台に着脱自在に連結する結合手段と、前記収納ケースと前記載置台との結合を解除するケースロック解除釦と、前記アイロン本体を載置した時に、前記アイロン本体の前記受水部と接続される給水部と、前記給水部にポンプ装置を連通させ水を貯える載置台タンクと前記載置台タンクを載置台に係止する係止部と、前記載置台タンクの載置台への係止を解除するタンクロック解除釦と、前記受電端子と電気的に接続する給電部と、前記給電部と電気的に接続した電源コードを収容する電源コード巻取装置と前記電源コードの電源プラグが突出している電源コード出口部を具備し、前記収納ケースは、前記結合手段で前記載置台に結合された時に、前記載置台の側方の一部側面を覆い隠さないように形成するとともに、その載置台の一部側面に、前記載置台タンクと前記タンクロック解除釦とを配設したことにより、収納ケースを載置台から取り外さなくても、載置台のタンクロック解除釦を押せば、載置台タンクを取り外すことができるので、不使用時で収納ケースが被っている状態でも載置台タンクの水量の確認および水の補給ができ、使い勝手のよいアイロン装置を得ることができる。
【発明を実施するための最良の形態】
【００２１】
本発明の請求項１に記載の発明は、ヒータにより加熱されるベースを有するアイロン本体と、前記アイロン本体を載置する載置台と、前記載置台上に載置した前記アイロン本体を覆う収納ケースと、前記収納ケースを前記載置台に着脱自在に連結する結合手段と、前記収納ケースと前記載置台との結合を解除するケースロック解除釦と、前記ケースロック解除釦と前記結合手段を連結する変換部を具備し、前記変換部は、前記ケースロック解除釦の側方に設けるとともに、前記変換部は前記ケースロック解除釦の直線動作を回動動作に変換して、前記収納ケースと前記載置台との結合を解除するようにしたことで、収納ケースのロックを解除するとき、側方からケースロック解除釦を操作する直線動作を回動動作に変換できるので収納ケースに触れずに取り外すことができ、使い勝手をよくすることができる。
【００２２】
請求項２に記載の発明は、上記請求項１の発明において、結合手段は左右に一対設け、左右連動させたことで、収納ケースの取り外し操作時のケースロック解除釦を片手で押すことができ、使い勝手をよくすることができる。
【００２３】
請求項３に記載の発明は、ヒータによって加熱されるベース、前記ベースに形成した気化室、前記気化室に供給される水を貯えるアイロン本体タンク、前記アイロン本体タンクに連通する受水部、および前記ヒータと電気的に接続された受電端子を有する受電部を備えたアイロン本体と、前記アイロン本体を載置する載置台と、前記載置台上に載置した前記アイロン本体を覆う収納ケースと、前記収納ケースを前記載置台に着脱自在に連結する結合手段と、前記収納ケースと前記載置台との結合を解除するケースロック解除釦と、前記アイロン本体を載置した時に、前記アイロン本体の前記受水部と接続される給水部と、前記給水部にポンプ装置を連通させ水を貯える載置台タンクと前記載置台タンクを載置台に係止する係止部と、前記載置台タンクの載置台への係止を解除するタンクロック解除釦と、前記受電端子と電気的に接続する給電部と、前記給電部と電気的に接続した電源コードを収容する電源コード巻取装置と前記電源コードの電源プラグが突出している電源コード出口部を具備し、前記載置台の前記ケースロック解除釦と前記タンクロック解除釦と前記電源コード出口部を、すべて前記載置部の側方に設けたことで、載置台のタンクのロック解除と収納ケースのロック解除の操作方向が同じになり、電源コード出口部も載置台の側方にあるので、それぞれ使用者が使用するときの操作の移動距離が短くなり、使い勝手をよくすることができる。
【００２４】
請求項４に記載の発明は、上記請求項３の発明において、タンクロック解除釦は、ケースロック解除釦より前方に配設したことで、アイロン本体との距離が広がることにより、アイロン掛け作業中に消費された水を補給すべく、載置台のタンクを取り出すときに、高温に加熱しているアイロン本体に誤って触れて火傷をすることもなく、安全に取り出すことができる。
【００２５】
請求項５に記載の発明は、上記請求項４の発明において、電源コード出口部は、ケースロック解除釦とタンクロック解除釦のいずれよりも下方に配設したことで、電源コード巻取装置のコード収納部の扁平面をケースロック機構部やタンクロック機構部の下側に設けることにより、載置台の底面積を小さくすることができ、載置台を小型化することができる。
【００２６】
請求項６に記載の発明は、ヒータによって加熱されるベース、前記ベースに形成した気化室、前記気化室に供給される水を貯えるアイロン本体タンク、前記アイロン本体タンクに連通する受水部、および前記ヒータと電気的に接続された受電端子を有する受電部を備えたアイロン本体と、前記アイロン本体を載置する載置台と、前記載置台上に載置した前記アイロン本体を覆う収納ケースと、前記収納ケースを前記載置台に着脱自在に連結する結合手段と、前記収納ケースと前記載置台との結合を解除するケースロック解除釦と、前記アイロン本体を載置した時に、前記アイロン本体の前記受水部と接続される給水部と、前記給水部にポンプ装置を連通させ水を貯える載置台タンクと前記載置台タンクを載置台に係止する係止部と、前記載置台タンクの載置台への係止を解除するタンクロック解除釦と、前記受電端子と電気的に接続する給電部と、前記給電部と電気的に接続した電源コードを収容する電源コード巻取装置と前記電源コードの電源プラグが突出している電源コード出口部を具備し、前記収納ケースは、前記結合手段で前記載置台に結合された時に、前記載置台の側方の一部側面を覆い隠さないように形成するとともに、その載置台の一部側面に、前記載置台タンクと前記タンクロック解除釦とを配設したことにより、収納ケースを載置台から取り外さなくても、載置台タンクの水量の確認および水の補給ができ、使い勝手がよい。
【実施例１】
【００２７】
以下、本発明の実施例について、図面を参照しながら説明する。なお、従来例と同じ構成のものは同一番号を付与して説明を省略する。
【００２８】
（実施例１）
図１〜６において、１はアイロン本体で、蓋体２に覆われた気化室３を形成したベース４、このベース４を加熱するヒータ５、前記気化室３に供給する水を蓄えるアイロン本体タンク６、このアイロン本体タンク６に連通する受水部７、前記ヒータ５に接続された受電端子８を持った受電部９を有している。
【００２９】
１０は載置台で、前記アイロン本体１を前記ベース４の後部を下方にして傾斜載置する載置部１１、アイロン本体１の受電端子８と各々接続される複数の給電部１２、前記給電部１２と電気的に接続した電源コード１３を収納する電源コード巻取装置１４、前記電源コード１３の電源プラグ１５が突出している電源コード出口部１６、前記アイロン本体１の受水部７と対向した位置に設けられた給水部１７、前記給水部１７に連通させたポンプ装置１８、前記アイロン本体１の前記アイロン本体タンク７に供給する水を貯えるための載置台タンク１９、前記載置台タンク１９を載置台に格納状態に着脱自在に係止する係止部２０と、前記係止部２０を係止状態に付勢する係止バネ２１、前記載置台タンク１９を押し出す押し出し体２２と、前記押し出し体２２を押出状態に付勢する押し出しバネ２３と、前記載置台タンク１９の係止を解除するタンクロック解除釦２４を有している。
【００３０】
載置台タンク１９は、透明または半透明の樹脂で構成されており、載置台１０の前方および側方から内部の水量が視認可能なように、載置台１０の最前部で、かつ、側面に着脱可能に配設されている。
【００３１】
２５は，前記載置台１０上に載置したアイロン本体１を覆う収納ケースで、前記載置台１０と係止するための貫通穴２６ａを設けたケースロック金具２６を下部中央部に有している。
【００３２】
さらに、前記載置台１０の上部中央部には、前記収納ケース２５を係止するための爪部２７ａを有し、左右一対設けて左右連動させた、前記収納ケース２５を前記載置台１０に着脱自在に連結する結合手段２７と、前記結合手段２７の両端に設け、前記結合手段２７を回動自在に摺動させる連結部材２８、前記結合手段２７を施錠方向に付勢しているロックバネ２９、前記収納ケース２５の係止を解除するケースロック解除釦３０、前記結合手段２７の一方に設けるとともに、前記ケースロック釦３０の側方に設け、前記ケースロック解除釦３０のケース解除の直線動作を前記結合手段２７の回動動作に変換する傾斜面３１ａを設けた変換部３１を設けている。
【００３３】
そして、電源コード出口部１６とタンクロック解除釦２４とケースロック解除釦３０は載置台１０の側面中央部に近接させて設けてあり、タンクロック解除釦２４は、ケースロック解除釦３０より前方に設けられている。さらに、電源コード出口部１６は、ケースロック解除釦３０とタンクロック解除釦２４のいずれよりも下方に設けられている。
【００３４】
前記収納ケース２５と前記載置台１０との位置関係について説明すると、収納ケース２５は載置台１０に乗っかった形で、収納ケース２５の下部中央部に設けたケースロック金具２６と載置台１０の上部中央部に設けた爪部２７ａを有する結合手段２７とが係止されて、両者は結合されている。すなわち、この状態でも、載置台１０の側面中央部に設けられたタンクロック解除釦２４とケースロック解除釦３０は操作可能となっており、また、載置台タンク１９も載置台１０から着脱可能である。さらに、電源コード出口部１６も収納ケース２５で覆い隠されてはいないので、電源プラグ１５の出し入れも可能である。
【００３５】
上記構成において、次に動作、作用を説明する。まず、アイロン本体１を取り出す時、すなわちケースロック金具２６の貫通穴２６ａと結合手段２７の爪部２７ａの係合を解除するには、載置台１０の側方に設けたケースロック解除釦３０を載置台１０側方から載置台１０中央側に押圧すると、変換部３１の傾斜面３１ａによって押圧方向の力は下方向の力に変換され、連結部材２８を中心として載置台１０の左右に設けられている結合手段２７を回動方向に動かし、結合手段２７の爪部２７ａがケースロック金具２６の貫通穴２６ａから外れ、結合手段２７と収納ケース２５の係合が解除できる。
【００３６】
この際、片手でケースロック解除釦３０を押すことができ、またケースロック解除釦３０を押した手が収納ケース２５に触れずにアイロン本体１を取り出すことができるので、使い勝手をよくすることができる。
【００３７】
つぎに、載置台タンク１９に水を入れるために、載置台タンク１９の係合を解除するには、載置台１０の側方に設けたタンクロック解除釦２４を載置台１０側方から載置台１０中央側に押圧すると、係止バネ２１の付勢力に逆らって係止部２０が押し上げられ係合が解除され、押し出しバネ２３の付勢力により、押し出し体２２が載置台タンク１９を押し出し、載置台タンク１９を取り出すことができる。載置台タンク１９に水を入れた後、前記と逆の操作を行うと、載置台タンク１９は押し出し体２２の付勢力に抗して格納され、係止部２０によって係止された状態に保持される。
【００３８】
そして、載置台１０の電源コード出口部１６から電源プラグ１５を引き出して電源を投入すると、ヒータ５への通電が給電部１２、受電端子８を介して行われ、ベース４が所定の温度まで上昇する。一方、給水部１７、受水部７を介して、ホンプ装置１８の駆動により載置台タンク１９からアイロン本体タンク６に水が供給される。
【００３９】
ここで、アイロン本体１を載置台１０から取り外してアイロン掛けを行うと、アイロン本体タンク６内の水は気化室３に送られて気化し、スチームがベース４の掛け面より噴出し、アイロン掛けを行うことができる。
【００４０】
このように、アイロン掛けの準備動作を行うときに、タンクロック解除釦２４とケースロック解除釦３０と電源コード出口部１６を載置台１０側面中央部に近接しているので、操作の移動距離が短くなり、使い勝手をよくすることができる。
【００４１】
また、タンクロック解除釦２４は、ケースロック解除釦３０より前方に設けられてあり、アイロン本体１が載置台１０に載置している状態では、載置部１１がアイロン本体１のベース４の後部を下方して傾斜載置しているので、アイロン本体１前方が上方に傾斜することにより、アイロン掛け作業中に消費された水を補給すべく、載置台１０の載置台タンク１９を取り出すときに、アイロン本体１との距離が離れているので、高温に加熱しているアイロン本体１に誤って触れてしまうこともなく、安全に取り出すことができる。
【００４２】
また、電源コード出口部１６は、ケースロック解除釦３０とタンクロック解除釦２４のいずれよりも下方に設けられているので、電源コード巻取装置１４のコード収納部の扁平面をケースロック機構部やタンクロック機構部の下側に設けることにより、載置台１０の底面積を小さくすることができ、載置台１０を小型化でき、使い勝手をよくすることができる。
【００４３】
さらに、載置台タンク１９を載置台１０の側面に臨ませて配置し、タンクロック解除釦２４も載置台１０の側面に配置し、かつ、収納ケース２５は、載置台１０に乗っかる形で、載置台１０の側面を覆い隠さないように係合されているので、載置台１０に収納ケース２５が取り付けられている状態でも、載置台タンク１９の水量の確認ができ、さらには、載置台タンク１９を取り外して水を補給することもできる。
【図面の簡単な説明】
【００４４】
【図１】本発明の実施例におけるアイロン装置の要部断面図
【図２】同アイロン装置の載置台の平面図
【図３】同アイロン装置の載置台の要部断面図
【図４】同アイロン装置の載置台の図３におけるａ−ａ断面図
【図５】同アイロン装置の結合手段のロック解除動作を示す説明図
【図６】同アイロン装置の載置台の図２におけるｂ方向矢視図
【図７】従来のアイロン装置の結合手段の説明図
【符号の説明】
【００４５】
１  アイロン本体
４  ベース
５  ヒータ
１０  載置台
１４  電源コード巻取装置
１６  電源コード出口部
１９  載置台タンク
２４  タンクロック解除釦
２５  収納ケース
２７  結合手段
２８  連結部材
３０  ケースロック解除釦
３１  変換部
【図１】
2005040321.tif 000003
【図２】
2005040321.tif 000004
【図３】
2005040321.tif 000005
【図４】
2005040321.tif 000006
【図５】
2005040321.tif 000007
【図６】
2005040321.tif 000008
【図７】
2005040321.tif 000009